(57)【要約】      （修正有）【課題】ユーザ端末のランダムアクセスプリアンブル信号の送信に基づく干渉の発生を抑制可能なユーザ端末及び基地局を提供する。【解決手段】ユーザ端末１００は、ハンドオーバ手続が実行される前に、ソースセル２５０−１及びターゲットセル２５０−２を含む複数のセルが協調して通信を行うＣｏＭＰ（Ｃｏｏｒｄｉｎａｔｅｄ  Ｍｕｌｔｉ−Ｐｏｉｎｔ）によって、ターゲットセル２５０−２を管理する基地局２００−２がユーザ端末１００から上りリンクの信号を受信している場合、ターゲットセル２５０−２に対するランダムアクセスプリアンブル信号の送信を省略する制御を行う制御部を備える。【選択図】図７
2017143565.tif 000002
【特許請求の範囲】
【請求項１】
ソースセルからターゲットセルへのハンドオーバ手続が実行される際に、前記ターゲットセルとの上りリンクの同期を確立するためのランダムアクセスプリアンブル信号を前記ターゲットセルに送信するユーザ端末であって、
前記ソースセルへの送信タイミングを調整するための第１のタイミングアドバンスに基づく送信タイミングで、前記ユーザ端末が受信する無線信号の無線状況に関する測定結果を前記ソースセルに送信する送信部と、
前記測定結果を送信した後、前記ソースセルへの送信タイミングを調整するための第２のタイミングアドバンスを示す情報を前記ソースセルから受信する受信部と、
前記ハンドオーバ手続が実行される前に、前記ソースセル及び前記ターゲットセルを含む複数のセルが協調して通信を行うＣｏＭＰによって、前記ターゲットセルを管理する基地局が前記ユーザ端末から上りリンクの信号を受信している場合、前記ターゲットセルに対する前記ランダムアクセスプリアンブル信号の送信を省略する制御を行う制御部を備え、
前記制御部は、前記第１のタイミングアドバンスと前記第２のタイミングアドバンスとに基づいて、前記ランダムアクセスプリアンブル信号の送信を省略するか否かを判定することを特徴とするユーザ端末。
【発明の詳細な説明】
【技術分野】
【０００１】
本発明は、ＣｏＭＰをサポートする移動通信システムに用いられるユーザ端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＣｏＭＰ（Ｃｏｏｒｄｉｎａｔｅｄ  Ｍｕｌｔｉ−Ｐｏｉｎｔ）の標準化が進められている（非特許文献１参照）。
【０００３】
ＣｏＭＰは、同一の場所に配置されたアンテナ群を１つの「ポイント」と位置付け、複数のポイントが協調してユーザ端末と通信を行う通信形態である。１つの時間・周波数リソースを用いてユーザ端末との通信を行うポイント群は、ＣｏＭＰ協調セット（ＣｏＭＰ  ｃｏｏｐｅｒａｔｉｎｇ  ｓｅｔ）と称される。
【０００４】
ところで、ソースセルからターゲットセルへのハンドオーバ手続が実行される際に、ユーザ端末は、ランダムアクセスプリアンブル信号をターゲットセルに送信する。ターゲットセルを管理するターゲット基地局は、ランダムアクセスプリアンブル信号の受信タイミングに基づいて、ユーザ端末が上りリンクの信号を送信するタイミングを調整するためのタイミング情報を生成する。その後、ターゲットセル基地局は、生成したタイミング情報を含むランダムアクセス応答をユーザ端末に送信する。ユーザ端末は、通知されたタイミング情報に基づいて、ターゲットセルとの接続が完了したことを示す接続完了通知をターゲットセルに送信する。
【先行技術文献】
【非特許文献】
【０００５】
【非特許文献１】３ＧＰＰ技術報告  「ＴＲ３６．８１９  Ｖ１１．１．０」  ２０    １１年１２月
【発明の概要】
【発明が解決しようとする課題】
【０００６】
しかしながら、例えば、ランダムアクセスプリアンブル信号の送信に用いられる無線リソースの周辺の無線リソースを用いて、上りリンクの信号を送信している場合、ユーザ端末がランダムアクセスプリアンブル信号を送信することによって、干渉が発生する虞がある。
【０００７】
そこで、本発明は、ユーザ端末のランダムアクセスプリアンブル信号の送信に基づく干渉の発生を抑制可能なユーザ端末及び基地局を提供する。
【課題を解決するための手段】
【０００８】
本発明に係るユーザ端末は、ソースセルからターゲットセルへのハンドオーバ手続が実行される際に、前記ターゲットセルとの上りリンクの同期を確立するためのランダムアクセスプリアンブル信号を前記ターゲットセルに送信するユーザ端末である。当該ユーザ端末は、前記ハンドオーバ手続が実行される前に、前記ソースセル及び前記ターゲットセルを含む複数のセルが協調して通信を行うＣｏＭＰによって、前記ターゲットセルを管理する基地局が前記ユーザ端末から上りリンクの信号を受信している場合、前記ターゲットセルに対する前記ランダムアクセスプリアンブル信号の送信を省略する制御を行う制御部を備える。
【発明の効果】
【０００９】
本発明に係るユーザ端末及び基地局によれば、ユーザ端末のランダムアクセスプリアンブル信号の送信に基づく干渉の発生を抑制可能である。
【図面の簡単な説明】
【００１０】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、第１実施形態に係る移動通信システムの動作環境を説明するための説明図である。
【図７】図７は、第１実施形態に係る移動通信システムの動作概要である。
【図８】図８は、下りリンクの同期を確立する方法を説明するための説明図である。
【図９】図９は、第１実施形態の変更例に係る移動通信システムの動作例を示すシーケンス図である。
【図１０】図１０は、ランダムアクセスプリアンブル信号の送信の省略を判定するためのフローである。
【図１１】図１１は、第２実施形態に係る移動通信システムの動作例を示すシーケンス図である。
【図１２】図１２は、第３実施形態に係る移動通信システムの動作例を示すシーケンス図である。
【発明を実施するための形態】
【００１１】
［実施形態の概要］
実施形態に係るユーザ端末は、ソースセルからターゲットセルへのハンドオーバ手続が実行される際に、前記ターゲットセルとの上りリンクの同期を確立するためのランダムアクセスプリアンブル信号を前記ターゲットセルに送信するユーザ端末である。当該ユーザ端末は、前記ハンドオーバ手続が実行される前に、前記ソースセル及び前記ターゲットセルを含む複数のセルが協調して通信を行うＣｏＭＰによって、前記ターゲットセルを管理する基地局が前記ユーザ端末から上りリンクの信号を受信している場合、前記ターゲットセルに対する前記ランダムアクセスプリアンブル信号の送信を省略する制御を行う制御部を備える。
【００１２】
実施形態に係るユーザ端末は、前記ターゲットセルとの接続を完了したことを示す接続完了通知を前記ターゲットセルに送信するための無線リソース割り当てを前記ソースセルから受信する受信部をさらに備える。前記制御部は、前記受信部が前記無線リソース割り当てを受信した場合、前記ランダムアクセスプリアンブル信号の送信を省略するとともに、前記無線リソース割り当てに基づいて前記接続完了通知を前記ターゲットセルに送信する制御を行う。
【００１３】
実施形態に係るユーザ端末において、前記受信部は、前記接続完了通知を送信するタイミングを調整するためのタイミング情報、及び、前記接続完了通知を送信する送信電力を調整するための電力情報の少なくとも一方を前記ソースセルから受信する。
【００１４】
実施形態に係るユーザ端末において、前記タイミング情報は、前記ソースセルを管理する前記基地局又は他の基地局が前記ユーザ端末から前記上りリンクの信号を受信するタイミングと、前記ターゲットセルを管理する前記基地局が前記ユーザ端末から前記上りリンクの信号を受信するタイミングと、の差分であり、前記制御部は、前記差分に基づいて、前記接続完了通知を送信するタイミングを調整する。
【００１５】
第１実施形態の変更例に係るユーザ端末は、前記ユーザ端末が受信する無線信号の無線状況に関する測定結果を前記ソースセルに送信する送信部をさらに備える。前記制御部は、前記測定結果を送信する際に用いた前記ソースセルへの送信タイミングを調整するためタイミングアドバンスを記憶し、前記受信部は、前記タイミング情報とともに、前記ソースセルへの送信タイミングを調整するための最新のタイミングアドバンスを示す情報を受信し、前記制御部は、前記タイミングアドバンスと前記最新のタイミングアドバンスとの差分が閾値以下である場合、前記ランダムアクセスプリアンブル信号の送信を省略する制御を行う。
【００１６】
第２実施形態において、前記制御部は、前記ハンドオーバ手続が実行される前に、前記ＣｏＭＰによって、前記受信部が前記ソースセル及び前記ターゲットセルから同一の無線リソースを用いて下りリンクの信号を受信している場合、前記ターゲットセルとの下りリンクの同期の確立を省略する制御を行う。
【００１７】
実施形態に係る基地局は、ソースセルからターゲットセルへのハンドオーバ手続が実行される際に、ユーザ端末から上りリンクの同期を確立するためのランダムアクセスプリアンブル信号を受信し、前記ターゲットセルを管理する基地局である。当該基地局は、前記ハンドオーバ手続が実行される前に、前記ソースセル及び前記ターゲットセルを含む複数のセルが協調して通信を行うＣｏＭＰによって、前記ユーザ端末から上りリンクの信号を受信している場合、前記ユーザ端末に前記ターゲットセルに対する前記ランダムアクセスプリアンブル信号の送信を省略させるための情報を前記ユーザ端末に通知する送信部を備える。
【００１８】
実施形態に係る基地局において、前記送信部は、前記ユーザ端末が前記ターゲットセルとの接続を完了したことを示す接続完了通知を前記ターゲットセルに送信するための無線リソース割り当てを、前記ランダムアクセスプリアンブル信号の送信を省略させるための前記情報として、前記ソースセルを経由して前記ユーザ端末に通知する。
【００１９】
第１実施形態の変更例に係る基地局において、前記送信部は、前記ランダムアクセスプリアンブル信号の送信を省略させるための前記情報を送信する代わりに、前記ランダムアクセスプリアンブル信号の送信に用いられる信号系列を示す情報の送信を省略する。
【００２０】
実施形態に係る基地局において、前記送信部は、前記接続完了通知を送信するタイミングを調整するためのタイミング情報、及び、前記接続完了通知を送信する送信電力を調整するための電力情報の少なくとも一方を前記ユーザ端末に通知する。
【００２１】
実施形態に係る基地局において、前記タイミング情報は、前記ソースセルを管理する前記基地局又は他の基地局が前記ユーザ端末から前記上りリンクの信号を受信するタイミングと、前記ターゲットセルを管理する前記基地局が前記ユーザ端末から前記上りリンクの信号を受信するタイミングと、の差分である。
【００２２】
第１実施形態の変更例に係る基地局において、前記タイミング情報は、前記ターゲットセルへの送信タイミングを調整するためのタイミングアドバンスである。
【００２３】
実施形態に係る基地局は、前記ハンドオーバ手続が実行される前に、前記ＣｏＭＰによって、前記ユーザ端末に送信するデータを前記制御部が記憶している場合、前記ソースセルを管理する他の基地局から前記ユーザ端末に未送信のデータを受信する処理を省略する受信部をさらに備える。
【００２４】
［第１実施形態］
以下、図面を参照して、３ＧＰＰ規格に準拠して構成される移動通信システム（ＬＴＥシステム）にＤ２Ｄ通信を導入する場合の実施形態を説明する。
【００２５】
（ＬＴＥシステム）
図１は、本実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００２６】
ＵＥ１００は、移動型の通信装置であり、サービングセルとの無線通信を行う。ＵＥ１００はユーザ端末に相当する。
【００２７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。各ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００２８】
ｅＮＢ２００は、例えば、無線リソース管理（ＲＲＭ）機能と、ユーザデータのルーティング機能と、モビリティ制御及びスケジューリングのための測定制御機能と、を有する。
【００２９】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワークノードであり、制御局に相当する。
Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００３０】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３１】
次に、ＵＥ１００及びｅＮＢ２００の構成を説明する。
【００３２】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３３】
本実施形態の制御部は、ハンドオーバ手続が実行される前に、ソースセル及びターゲットセルが協調して通信を行うＣｏＭＰによって、ターゲットセルを管理するｅＮＢ２００がＵＥ１００から上りリンクの信号を受信している場合、ターゲットセルに対するランダムアクセスプリアンブル信号の送信を省略する制御を行う。
【００３４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３７】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３８】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００３９】
本実施形態の制御部は、ハンドオーバ手続が実行される前に、ソースセル及びターゲットセルが協調して通信を行うＣｏＭＰによって、ＵＥ１００から上りリンクの信号を受信している場合、ＵＥ１００にターゲットセルに対するランダムアクセスプリアンブル信号の送信を省略させるための情報を送信する制御を行う。これにより、無線送受信機２１０は、ランダムアクセスプリアンブル信号の送信を省略させるための情報を送信する。
【００４０】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。
ネットワークインターフェイス２２０は、Ｘ２インターフェイス上で行う通信及びＳ１インターフェイス上で行う通信に用いられる。
【００４２】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  ＤａＴＡ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４４】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００４５】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００４６】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４７】
ＰＤＣＰレイヤは、ヘッダ圧縮・伸張、及び暗号化・復号化を行う。
【００４８】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓＴＡｔｅ）であり、そうでない場合、ＵＥ１００はアイドル状態（ＲＲＣ  ｉｄｌｅ  ｓＴＡｔｅ）である。
【００４９】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５０】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのシンボル及び１つのサブキャリアからなる無線リソース単位は、リソースエレメント（ＲＥ）と称される。
【００５２】
ＵＥ１００に割り当てられる無線リソースのうち、周波数リソースはリソースブロックにより特定でき、時間リソースはサブフレーム（又はスロット）により特定できる。
【００５３】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。
【００５４】
下りリンクにおいて、各サブフレームには、セル固有参照信号（ＣＲＳ）及び／又はチャネル状態情報用参照信号（ＣＳＩ−ＲＳ）等の参照信号が分散して配置される。参照信号は、所定の直交信号系列により構成され、かつ、所定のリソースエレメントに配置される。
【００５５】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００５６】
（移動通信システムの動作環境）
次に、本実施形態に係る移動通信システムの動作環境について、図６を用いて説明する。図６は、本実施形態に係る移動通信システムの動作環境を説明するための説明図である。
【００５７】
図６に示すように、セル２５０−１からセル２５０−２へのハンドオーバ手続が実行される前において、セル２５０−１とセル２５０−２とが協調して通信を行うＣｏＭＰによって、セル２５０−１を管理するｅＮＢ２００−１及びセル２５０−２を管理するｅＮＢ２００−２は、ＵＥ１００から上りリンクの信号を受信している。セル２５０−１及びセル２５０−２は、同一の周波数帯（Ｆ１）を用いて、協調して、ＵＥ１００−１と上りリンクにおけるＣｏＭＰを実行している。
【００５８】
一方、ＵＥ１００は、セル２５０−１（ｅＮＢ２００−１）とＲＲＣ接続を確立している。ＵＥ１００は、セル２５０−１からの下りリンクの信号を受信しており、セル２５０−１との下りリンクの同期を確立している。一方、ＵＥ１００は、セル２５０−２との下りリンクの同期を確立していない。
【００５９】
また、図６に示すように、セル２５０−１からセル２５０−２へのハンドオーバ手続が実行された後において、上りリンクにおけるＣｏＭＰによって、ｅＮＢ２００−１及びｅＮＢ２００−２は、ＵＥ１００から上りリンクの信号を受信している。
【００６０】
一方、ＵＥ１００は、ハンドオーバ手続が実行された後において、セル２５０−２（ｅＮＢ２００−２）とＲＲＣ接続を確立している。ＵＥ１００は、セル２５０−２からの下りリンクの信号を受信しており、セル２５０−２との下りリンクの同期を確立している。
一方、ＵＥ１００は、セル２５０−１との下りリンクの同期を確立していない。
【００６１】
（移動通信システムの動作概要）
次に、本実施形態に係る移動通信システムの動作概要について、図７及び図８を用いて説明する。図７は、第１実施形態に係る移動通信システムの動作概要である。図８は、下りリンクの同期を確立する方法を説明するための説明図である。
【００６２】
上述の移動通信システムの動作環境において説明したように、セル２５０−１及びセル２５０−２は、協調して、ＵＥ１００−１と上りリンクにおけるＣｏＭＰを実行している。ＵＥ１００は、セル２５０−１（ｅＮＢ２００−１）とＲＲＣ接続を確立している。セル２５０−１がソースセル（且つサービングセル）であり、セル２５０−２がターゲットセルである。
【００６３】
なお、図７において、矢印の種類によって、信号の種類又はデータの種類が示される。
具体的には、通常の矢印がレイヤ３（Ｌ３）による信号を示し、破線の大きな矢印がレイヤ１（Ｌ１）／レイヤ２（Ｌ２）による信号を示し、破線の小さな矢印が、ユーザデータの転送を示す。
【００６４】
図７に示すように、ステップＳ１０１において、ＵＥ１００は、ＵＥ１００が周辺のｅＮＢ２００から受信する無線信号の無線状況に関する測定結果（Ｍｅａｓｕｒｅｍｅｎｔ  Ｒｅｐｏｒｔ）を定期的又は不定期にセル２５０−１（ｅＮＢ２００−１）に送信する。ｅＮＢ２００−１は、測定結果を受信する。
【００６５】
ステップＳ１０２において、ｅＮＢ２００−１は、測定結果に基づいて、ＵＥ１００にハンドオーバを行わせるか否かを決定する。具体的には、ｅＮＢ２００−１は、ＵＥ１００がセル２５０−１よりもセル２５０−２とＲＲＣ接続を確立した方がＵＥ１００にとって無線状況が良くなると判定した場合に、ＵＥ１００にハンドオーバを行わせると決定する。例えば、ｅＮＢ２００−１は、セル２５０−２からＵＥ１００が受信した受信電力が、セル２５０−１からＵＥ１００が受信した受信電力に所定のオフセットを加えた値を上回った場合に、ＵＥ１００にハンドオーバを行わせるか否かを決定する。
【００６６】
以下において、ｅＮＢ２００−１が、セル２５０−２に対して、ＵＥ１００にハンドオーバを行わせると判定したと仮定して、説明を進める。
【００６７】
ステップＳ１０３において、ｅＮＢ２００−１は、ハンドオーバ要求（Ｈａｎｄｏｖｅｒ  Ｒｅｑｕｅｓｔ）をセル２５０−２を管理するｅＮＢ２００−２に送信する。ｅＮＢ２００−２は、ハンドオーバ要求を受信する。
【００６８】
ハンドオーバ要求は、ハンドオーバ元のセル２５０−１の識別子及びＵＥ１００の識別子を含む。
【００６９】
ステップＳ１０４において、ｅＮＢ２００−２は、ハンドオーバ要求を受け入れるか否かを判定する。ｅＮＢ２００−２は、ハンドオーバ要求を受け入れる場合は、ステップＳ１０５の処理を実行する。一方、ｅＮＢ２００−２は、ハンドオーバ要求を受け入れる場合は、ハンドオーバ要求否定応答（Ｈａｎｄｏｖｅｒ  Ｒｅｑｕｅｓｔ  Ｎａｃｋ）をｅＮＢ２００−１に送信する。
【００７０】
また、ｅＮＢ２００−２は、ＵＥ１００の送信タイミングを調整するか否かを判定してもよいし、ＵＥ１００の送信電力を調整するか否かを判定してもよい。
【００７１】
以下において、ｅＮＢ２００−２が、ハンドオーバ要求を受け入れると判定したと仮定して、説明を進める。
【００７２】
ステップＳ１０５において、ｅＮＢ２００−２は、ハンドオーバ要求肯定応答（Ｈａｎｄｏｖｅｒ  Ｒｅｑｕｅｓｔ  Ａｃｋ）をｅＮＢ２００−１に送信する。ｅＮＢ２００−１は、ハンドオーバ要求肯定応答を受信する。
【００７３】
ｅＮＢ２００−２は、ハンドオーバ要求肯定応答を送信する前に、セル２５０−１の識別子及びＵＥ１００の識別子に基づいて、ハンドオーバを実行するＵＥ１００に対して、ハンドオーバ元のセル２５０−１と自局が管理するセル２５０−２とが上りリンクにおけるＣｏＭＰを行っているか否かを判定する。
【００７４】
ｅＮＢ２００−２は、ＵＥ１００に対して、セル２５０−１とセル２５０−２とがＣｏＭＰを行っていないと判定した場合、ＵＥ１００にランダムアクセスプリアンブル信号を送信させるための通常の処理を実行する。例えば、ｅＮＢ２００−２は、ランダムアクセスプリアンブル信号の送信に用いられる信号系列をコンテンションフリーアクセス用の信号系列の中から選択する。ｅＮＢ２００−２は、選択した信号系列をＵＥ１００に通知するために、選択した信号系列をハンドオーバ要求肯定応答とともに、ｅＮＢ２００−１に送信する。
【００７５】
なお、ランダムアクセスプリアンブル信号は、ＵＥ１００がハンドオーバ先のセルであるセル２５０−２との上りリンクの同期を確立するために用いられる信号であり、ＵＥ１００がセル２５０−２に対して、送信する信号である。
【００７６】
一方、ｅＮＢ２００−２は、ＵＥ１００に対して、セル２５０−１とセル２５０−２とがＣｏＭＰを行っていると判定した場合、ランダムアクセスプリアンブル信号の送信を省略させるための情報をＵＥ１００に通知する。本実施形態において、ランダムアクセスプリアンブル信号の送信を省略させるための情報は、接続完了通知をセル２５０−２に送信するための無線リソースを示す無線リソース割り当て（ＵＬ  Ａｌｌｏｃａｔｉｏｎ）である。
【００７７】
なお、接続完了通知は、ＵＥ１００がセル２５０−２とのＲＲＣ接続を完了したことを示す通知である。
【００７８】
本実施形態において、ｅＮＢ２００−２は、上記無線リソース割り当てを通知する代わりに、ＵＥ１００への信号系列の通知を省略する。ｅＮＢ２００−２は、ランダムアクセスプリアンブル信号の信号系列を選択しなくてもよい。
【００７９】
また、本実施形態において、ｅＮＢ２００−２は、物理関連情報（ＰＨＹ関連情報）、タイミング情報及び電力情報（パワー情報）を、ハンドオーバ要求肯定応答とともに、ｅＮＢ２００−１に送信する。
【００８０】
物理関連情報は、上りグラント用の下りリンク制御情報を用いてＵＥ１００に通知される情報である。
【００８１】
タイミング情報は、ＵＥ１００が接続完了通知を送信するタイミングを調整するための情報である。例えば、タイミング情報は、ＵＥ１００が接続完了通知を通知するタイミングであり、当該タイミングは、スーパーフレーム番号（ＳＦＮ：Ｓｙｓｔｅｍ  Ｆｒａｍｅ  Ｎｕｍｂｅｒ）とサブフレーム番号との組合せによって指定される。また、タイミング情報は、セル２５０−１を管理するｅＮＢ２００−１とセル２５０−２を管理するｅＮＢ２００−２とがＵＥ１００からの同一の上りリンクの信号を受信するタイミングの差分ΔＴＡを含んでもよい。
【００８２】
電力情報は、ＵＥ１００が接続完了通知を送信する送信電力を調整するための情報である。
【００８３】
なお、ｅＮＢ２００−１は、ＵＥ１００の送信タイミングを調整しないと判定した場合、タイミング情報をｅＮＢ２００−１に送信しなくてもよいし、ＵＥ１００の送信電力を調整しないと判定した場合、電力情報をｅＮＢ２００−１に送信しなくてもよい。
【００８４】
ステップＳ１０６において、ｅＮＢ２００−１は、ハンドオーバ要求肯定応答を受信した場合に、下りリンクの無線リソース割り当て（ＤＬ  ａｌｌｏｃａｔｉｏｎ）をＵＥ１００に送信する。ＵＥ１００は、下りリンクの無線リソース割り当てを受信する。
【００８５】
下りリンクの無線リソース割り当ては、ステップＳ１０７においてｅＮＢ２００−１がＵＥ１００に送信するＲＲＣ接続再設定情報などを受信するために用いられる無線リソースを示す。
【００８６】
ステップＳ１０７において、ｅＮＢ２００−１は、下りリンクの無線リソース割り当てを用いて、移動制御情報（ｍｏｂｉｌｉｔｙＣｏｎｔｒｏｌｉｎｆｏｒｍａｔｉｏｎ）を含むＲＲＣ接続再設定情報（ＲＲＣ  Ｃｏｎｎ．Ｒｅｃｏｎｆ．）をＵＥ１００に送信する。ＵＥ１００は、ＲＲＣ接続再設定情報を受信する。
【００８７】
ｅＮＢ２００−１は、ＲＲＣ接続再設定情報とともに、ステップＳ１０５においてｅＮＢ２００−２から受信した情報、具体的には、無線リソース割り当て、物理関連情報、タイミング情報及び電力情報を送信する。
【００８８】
ＵＥ１００は、ＲＲＣ接続再設定情報とともに、接続完了通知をセル２５０−２に送信するための無線リソースを示す無線リソース割り当てを受信したことに基づいて、セル２５０−２に対するランダムアクセスプリアンブル信号の送信を省略すると判定する。
【００８９】
ステップＳ１０８において、ｅＮＢ２００−１は、ＵＥ１００への送信データのシーケンス番号（ＳＮ）をｅＮＢ２００−２に送信する。ｅＮＢ２００−２は、シーケンス番号を受信する。これにより、ハンドオーバの実行が原因で受信データが途切れることを防ぐ。
【００９０】
ステップＳ１０９において、ｅＮＢ２００−１は、ＵＥ１００へ未送信のデータをｅＮＢ２００−２に送信する。ｅＮＢ２００−２は、未送信データを受信する。
【００９１】
ステップＳ１１０において、図８（ａ）に示すように、ＵＥ１００は、ｅＮＢ２００−２から同期チャネル（ｓｙｎｃ  ｃｈａｎｎｅｌ）を受信し、受信した同期チャネルに基づいて、セル２５０−２との下りリンクの同期を確立する。
【００９２】
ステップＳ１１１において、ＵＥ１００は、セル２５０−２とのＲＲＣ接続が完了したことを示す接続完了通知（ＲＲＣ  Ｃｏｎｎ．Ｒｅｃｏｎｆ．Ｃｏｍｐｌｅｔｅ）をセル２５０−２に送信する。ｅＮＢ２００−２は、接続完了通知を受信する。
【００９３】
ＵＥ１００は、ｅＮＢ２００−２からｅＮＢ２００−１を経由して通知された無線リソース割り当てを用いて、接続完了通知をセル２５０−２に送信する。
【００９４】
ＵＥ１００は、以下に示す方法によって、セル２５０−２へ接続完了通知を送信するタイミングを調整できる。
【００９５】
まず、ＵＥ１００は、セル２５０−１と接続を確立している間、ＵＥ１００がセル２５０−１への送信タイミングを調整するためのタイミングアドバンスＴＡＡをセル２５０−１から受信する。図８（ｂ）に示すように、ハンドオーバ手続が実行される前において、ＵＥ１００は、セル２５０−１を管理するｅＮＢ２００−１へＵＥ１００からの信号が到達するまでの時間差を考慮して、セル２５０−１からの下りリンクの信号Ａ１よりもタイミングアドバンスＴＡＡの分だけ早いタイミングでセル２５０−１へ上りリンクの信号Ｕ１を送信している。
【００９６】
次に、図８（ｃ）に示すように、ＵＥ１００は、セル２５０−１からの下りリンクの信号Ａ２とセル２５０−２からの下りリンクの信号Ｂ２との受信タイミング差Δｒｅｆｔｉｍｅを算出する。ＵＥ１００は、以下の式（１）に基づいて、セル２５０−２への送信タイミングを調整するためのタイミングアドバンスＴＡＢを算出する。
【００９７】
ＴＡＢ  ＝  ＴＡＡ  −  Δｒｅｆｔｉｍｅ    （−∞≦Δｒｅｆｔｉｍｅ≦∞）  ・  .・  （１）
ＵＥ１００は、セル２５０−２からの下りリンクの信号Ｂ２よりもタイミングアドバンスＴＡＢの分だけ早いタイミングで上りリンクの信号Ｕ２を送信する。
【００９８】
なお、ＵＥ１００は、ｅＮＢ２００−１からタイミング情報として、セル２５０−１を管理するｅＮＢ２００−１とセル２５０−２を管理するｅＮＢ２００−２とがＵＥ１００からの同一の上りリンクの信号を受信するタイミングの差分ΔＴＡを受信していた場合、以下の式（２）に基づいて、セル２５０−２への送信タイミングを調整するためのタイミングアドバンスＴＡＢ’を算出してもよい。
【００９９】
ＴＡＢ’  ＝  ＴＡＡ  −  Δｒｅｆｔｉｍｅ  ＋  ΔＴＡ  （−∞≦ΔＴＡ≦∞）  ・  .・  （２）
本実施形態において、ＵＥ１００は、算出したタイミングアドバンスＴＡＢ（又はＴＡＢ’）に基づいて、接続完了通知を送信できる。また、ＵＥ１００は、電力情報を受信していた場合、電力情報に基づく送信電力で接続完了通知を送信できる。
【０１００】
なお、ＵＥ１００は、ハンドオーバ手続が完了した後、通知された無線リソース、調整したタイミングアドバンス及び調整した送信電力によって、セル２５０−２との通信を行ってもよい。
【０１０１】
（第１実施形態の変更例）
次に、第１実施形態の変更例に係る移動通信システムについて、図９及び図１０を用いて説明する。
【０１０２】
図９は、第１実施形態の変更例に係る移動通信システムの動作例を示すシーケンス図である。図１０は、ランダムアクセスプリアンブル信号の送信の省略を判定するためのフローである。
【０１０３】
上述した実施形態では、ｅＮＢ２００−１がランダムアクセスプリアンブル信号の送信に用いられる信号系列の通知を省略していたが、本変更例では、ｅＮＢ２００−１がランダムアクセスプリアンブル信号の送信に用いられる信号系列の通知を省略しない。従って、ＵＥ１００が、状況に応じて、ランダムアクセスプリアンブル信号の送信を省略するか否かを判定する。
【０１０４】
なお、上述した実施形態と異なる部分を中心に説明し、同様の部分は、説明を適宜省略する。
【０１０５】
図９に示すように、ステップＳ２０１からＳ２０４は、図７のステップＳ１０１からＳ１０４に対応する。
【０１０６】
本変形例では、ステップＳ２０１において、ＵＥ１００は、測定結果を送信する際に用いたセル２５０−１への送信タイミングを調整するためのタイミングアドバンスＴＡＡ１を記憶する。
【０１０７】
ステップＳ２０５において、ｅＮＢ２００−２は、ハンドオーバ要求肯定応答（Ｈａｎｄｏｖｅｒ  Ｒｅｑｕｅｓｔ  Ａｃｋ）とともに、ランダムアクセスプリアンブル信号の送信に用いられる信号系列を示す情報（Ｒａｎｄｏｍ  Ａｃｃｅｓｓ  Ｐｒｅａｍｂｌｅ）をｅＮＢ２００−１に送信する。ｅＮＢ２００−１は、ハンドオーバ要求肯定応答とともに、信号系列を示す情報、無線リソース割り当て、物理関連情報、タイミング情報及び電力情報を受信する。
【０１０８】
本変更例において、タイミング情報は、ｅＮＢ２００−１とｅＮＢ２００−２とがＵＥ１００からの同一の上りリンクの信号を受信するタイミングの差分ΔＴＡを示す情報である。
【０１０９】
ステップＳ２０６は、ステップＳ１０６に対応する。
【０１１０】
ステップＳ２０７において、ｅＮＢ２００−１は、ＲＲＣ接続再設定情報とともに、ステップＳ２０５においてｅＮＢ２００−２から受信した情報、具体的には、信号系列を示す情報、無線リソース割り当て、物理関連情報、タイミング情報及び電力情報をＵＥ１００に送信する。
【０１１１】
なお、本変形例において、ｅＮＢ２００−１は、ｅＮＢ２００−２からのタイミング情報とともに、セル２５０−１への送信タイミングを調整するための最新のタイミングアドバンスＴＡＡ２を示すタイミング情報を送信する。
【０１１２】
ステップＳ２０８及びＳ２０９は、ステップ１０８及びＳ１０９に対応する。
【０１１３】
ステップＳ２１０において、ＵＥ１００は、セル２５０−２に対して、ランダムアクセスプリアンブル信号の送信を省略するか否かを判定する。
【０１１４】
具体的には、図１０に示すように、ステップＳ２１０において、ＵＥ１００は、図１０に示すステップ２５１の処理を行う。
【０１１５】
ステップＳ２５１において、ＵＥ１００は、ステップＳ２０１において記憶したタイミングアドバンスＴＡＡ１と最新のタイミングアドバンスＴＡＡ２とを比較する。ＵＥ１００は、タイミングアドバンスＴＡＡ１と最新のタイミングアドバンスＴＡＡ２との差分が閾値以下である場合、ランダムアクセスプリアンブル信号の送信を省略すると判定する（ステップＳ２５２）。
【０１１６】
なお、本変形例において、閾値は、セル２５０−１への送信タイミングのずれを許容可能な範囲の値である。
【０１１７】
ＵＥ１００は、ランダムアクセスプリアンブル信号の送信を省略すると判定した場合、ステップＳ２１１及びＳ２１２の処理を行う。ステップＳ２１１及びＳ２１２は、第１実施形態のステップＳ１１０及びＳ１１１に対応する。
【０１１８】
なお、ステップＳ２１２において、上述の第１実施形態のステップＳ１１１で説明したように、ＵＥ１００は、差分ΔＴＡに基づいて、セル２５０−２への送信タイミングを調整するためのタイミングアドバンスＴＡＢ’を算出してもよい。この場合、ＵＥ１００は、最新のタイミングアドバンスＴＡＡ２を用いて、タイミングアドバンスＴＡＢ’を算出することが好ましい。
【０１１９】
一方、ＵＥ１００は、当該差分が閾値より大きい場合、ランダムアクセスプリアンブル信号の送信を省略しないと判定する。ＵＥ１００は、ランダムアクセスプリアンブル信号の送信を省略すると判定した場合、通常のハンドオーバ手続と同様に、信号系列を示す情報に基づいて、ランダムアクセスプリアンブル信号をセル２５０−２に送信する（ステップＳ２５３）。セル２５０−２を管理するｅＮＢ２００−２は、ランダムアクセスプリアンブル信号を受信する。ｅＮＢ２００−２は、ランダムアクセスプリアンブル信号の受信タイミングに基づいて、ＵＥ１００が上りリンクの信号を送信するタイミングを調整するためのタイミングアドバンスを生成する。その後、ｅＮＢ２００−２は、生成したタイミングアドバンスを示すタイミング情報を含むランダムアクセス応答をＵＥ１００に送信する。ＵＥ１００は、送信されたタイミング情報に基づいて、接続完了通知をセル２５０−２に送信する。
【０１２０】
（第１実施形態のまとめ）
本実施形態において、ハンドオーバ手続が実行される前に、セル２５０−１及びセル２５０−２が協調して通信を行うＣｏＭＰによって、セル２５０−２を管理するｅＮＢ２００−２がＵＥ１００−１から上りリンクの信号を受信している場合、ＵＥ１００（制御部）は、セル２５０−２に対するランダムアクセスプリアンブル信号の送信を省略する。これにより、ＵＥ１００が、ランダムアクセスプリアンブル信号を送信しないため、ランダムアクセスプリアンブル信号の送信に基づく干渉の発生を抑制できる。また、セル２５０−１及びセル２５０−２が協調して通信を行うＣｏＭＰを実行している場合、ＵＥ１００は、セル２５０−１のセル端及びセル２５０−２のセル端に存在する。このため、ＵＥ１００から上りリンクの信号を受信するタイミングは、ｅＮＢ２００−１とｅＮＢ２００−２とで略一致している。従って、ランダムアクセスプリアンブル信号によって、セル２５０−２への上りリンクの信号を送信するタイミングを調整しなくても、ｅＮＢ２００−２は、ＵＥ１００からの上りリンクの信号を受信できる。さらに、ＵＥ１００は、ランダムアクセスプリアンブル信号を送信しなくても、ハンドオーバ手続を進めることができるため、セル２５０−２との接続をより早く確立することができる。
【０１２１】
また、本実施形態において、ハンドオーバ手続が実行される前に、セル２５０−１及びセル２５０−２が協調して通信を行うＣｏＭＰによって、セル２５０−２を管理するｅＮＢ２００−２がＵＥ１００−１から上りリンクの信号を受信している場合、ｅＮＢ２００−２（無線送受信機２１０）は、ＵＥ１００にセル２５０−２に対するランダムアクセスプリアンブル信号の送信を省略させるための情報をＵＥ１００に通知する。これにより、上述した通り、ランダムアクセスプリアンブル信号の送信に基づく干渉の発生を抑制できる。
【０１２２】
また、本実施形態において、ｅＮＢ２００−２（無線送受信機２１０）は、接続完了通知をセル２５０−２に送信するための無線リソース割り当てを、ランダムアクセスプリアンブル信号の送信を省略させるための情報として、セル２５０−１を経由してＵＥ１００に通知する。また、ＵＥ１００（制御部）は、ｅＮＢ２００−２からｅＮＢ２００−１を経由して通知された無線リソース割り当てを受信した場合、当該無線リソース割り当てに基づいて接続完了通知をセル２５０−２に送信する。これにより、ＵＥ１００は、ランダムアクセスプリアンブル信号の送信を省略して、接続完了通知を送信しても、干渉の発生を抑制できる。
【０１２３】
ｅＮＢ２００−２（無線送受信機２１０）は、ランダムアクセスプリアンブル信号の送信を省略させるための情報を送信する代わりに、ランダムアクセスプリアンブル信号の送信に用いられる信号系列を示す情報の送信を省略する。これにより、当該信号系列を選択する必要がなくなるため、数が限られているコンテンションフリーアクセス用の信号系列の枯渇を抑制できる。
【０１２４】
ｅＮＢ２００−１とｅＮＢ２００−２とがＵＥ１００との上りリンクにおけるＣｏＭＰを実行しているため、上りリンクの信号の受信タイミング及び受信電力は略一致している。しかしながら、本実施形態において、ｅＮＢ２００−２（無線送受信機２１０）は、接続完了通知を送信するタイミングを調整するためのタイミング情報、及び、接続完了通知を送信する送信電力を調整するための電力情報の少なくとも一方を、セル２５０−１を経由してＵＥ１００に通知する。また、ＵＥ１００（無線送受信機１１０）は、当該タイミング情報、及び、当該電力情報の少なくとも一方をセル２５０−１から受信する。これにより、ＵＥ１００は、さらに適切なタイミング及びさらに適切な送信電力によって、接続完了通知を送信できるため、干渉の発生をより抑制できる。
【０１２５】
また、本実施形態の変更例において、ＵＥ１００（制御部）は、セル２５０−１への送信タイミングを調整するためのタイミングアドバンストを記憶する。ＵＥ１００（制御部）は、測定結果を送信する際に用いたタイミングアドバンスＴＡＡ１と最新のタイミングアドバンスＴＡＡ２との差分ΔＴＡに基づいて、ランダムアクセスプリアンブル信号の送信を省略する。これにより、ハンドオーバ手続の実行中にタイミングアドバンスが大きく変化しない場合に、ＵＥ１００は、ランダムアクセスプリアンブル信号の送信を省略するため、適切なタイミングで接続完了通知を送信できる。
【０１２６】
また、本実施形態の変更例において、ｅＮＢ２００−２（無線送受信機２１０）は、信号系列を示す情報の通知が省略されない場合、無線リソース割り当てをセル２５０−１を経由してＵＥ１００に通知する。これにより、ＵＥ１００は、ランダムアクセスプリアンブル信号の送信を省略するか否かを適宜選択することができる。
【０１２７】
また、ｅＮＢ２００−２（無線送受信機２１０）は、タイミング情報として、セル２５０−１を管理するｅＮＢ２００−１がＵＥ１００から上りリンクの信号を受信するタイミングと、セル２５０−２を管理するｅＮＢ２００−２がＵＥ１００から上りリンクの信号を受信するタイミングと、の差分ΔＴＡを送信する。また、ＵＥ１００（制御部）は、差分ΔＴＡに基づいて、接続完了通知を送信するタイミングを調整する。これにより、ＵＥ１００は、さらに適切なタイミング及びさらに適切な送信電力によって、接続完了通知を送信できるため、接続完了通知の送信に基づく干渉の発生を抑制できる。
【０１２８】
［第２実施形態］
次に、第２実施形態に係る移動通信システムについて、図１１を用いて説明する。なお、上述した第１実施形態と異なる部分を中心に説明し、同様の部分は、説明を適宜省略する。
【０１２９】
図１１は、第２実施形態に係る移動通信システムの動作例を示すシーケンス図である。
【０１３０】
上述した実施形態では、セル２５０−１とセル２５０−２とが、上りリンクにおけるＣｏＭＰを実行しており、下りリンクにおけるＣｏＭＰを実行していなかった。本実施形態では、セル２５０−１とセル２５０−２とは、上りリンクだけでなく、下りリンクにおいてもＣｏＭＰを実行している。具体的には、下りリンクにおけるＣｏＭＰによって、ＵＥ１００は、セル２５０−１及びセル２５０−２から同一の無線リソースを用いて下りリンクの信号を受信している。
【０１３１】
図１１に示すように、ステップＳ３０１からＳ３１０は、第１実施形態のステップＳ１０１からＳ１０９及びＳ１１１に対応する。すなわち、第２実施形態において、ＵＥ１００がセル２５０−２との下りリンクの同期を確立するステップＳ１１０の処理が省略される。
【０１３２】
ＵＥ１００（制御部）は、下りリンクにおけるＣｏＭＰによって、セル２５０−１及びセル２５０−２から同一の無線リソースを用いて下りリンクの信号をＵＥ１００（無線送受信機１１０）が受信している場合、セル２５０−１から下りリンクの信号を受信するタイミングとセル２５０−２から下りリンクの信号を受信するタイミングとが略一致しているため、セル２５０−２との下りリンクの同期の確立を省略できる。従って、ＵＥ１００は、セル２５０−２との接続をより早く確立することができる。
【０１３３】
［第３実施形態］
次に、第３実施形態に係る移動通信システムについて、図１２を用いて説明する。なお、上述した第１及び第２実施形態と異なる部分を中心に説明し、同様の部分は、説明を適宜省略する。
【０１３４】
図１２は、第３実施形態に係る移動通信システムの動作例を示すシーケンス図である。
【０１３５】
上述した実施形態では、セル２５０−１とセル２５０−２とが、上りリンクにおけるＣｏＭＰを実行しており、下りリンクにおけるＣｏＭＰを実行していなかった。本実施形態では、セル２５０−１とセル２５０−２とは、上りリンクにおけるＣｏＭＰに加えて、下りリンクおいてＪＰ（Ｊｏｉｎｔ  Ｐｒｏｃｅｓｓｉｎｇ）−ＣｏＭＰを実行している。
【０１３６】
ここで、下りリンクにおけるＪＰ−ＣｏＭＰには、２つの方式がある。一つは、複数のポイントが同一の無線リソースを使用してユーザ端末に対して一斉に送信を行うＪＴ（Ｊｏｉｎｔ  Ｔｒａｎｓｍｉｓｓｉｏｎ）である。もう一つは、複数のポイントが同一の無線リソースを確保してユーザ端末に対して選択的に送信を行うＤＰＳ（Ｄｙｎａｍｉｃ  Ｐｏｉｎｔ  Ｓｅｌｅｃｔｉｏｎ）である。ＪＴ及びＤＰＳのどちらの方式でも共通することは、複数のポイントが、下り方向の送信データを共有することである。
【０１３７】
図１２に示すように、ステップＳ４０１において、ｅＮＢ２００−１とｅＮＢ２００−２とは、下りリンクにおけるＪＰ−ＣｏＭＰによって、ＵＥ１００への送信データのシーケンス番号（ＳＮ）を同期している。
【０１３８】
ステップＳ４０２において、ｅＮＢ２００−１は、ＵＥ１００への送信データをｅＮＢ２００−２に送信する。
【０１３９】
これにより、ハンドオーバ手続を実行する前において、ｅＮＢ２００−１及びｅＮＢ２００−２は、予めＵＥ１００への送信データを共有し、下りリンクにおけるＪＰ−ＣｏＭＰによって、ＵＥ１００との通信を行う。
【０１４０】
ステップＳ４０３からＳ４１０は、第１実施形態のステップＳ３０１からＳ３０７及びＳ３１０に対応する。すなわち、第３実施形態において、ハンドオーバ手続中に、ｅＮＢ２００−１がＵＥ１００への送信データのシーケンス番号（ＳＮ）をｅＮＢ２００−２に送信するステップＳ３０８の処理、及び、ｅＮＢ２００−１が、ＵＥ１００へ未送信のデータをｅＮＢ２００−２に送信するステップＳ３０９の処理が省略される。
【０１４１】
ｅＮＢ２００−２（制御部）が、ハンドオーバ手続きが実行される前に、ＪＰ−ＣｏＭＰによって、ＵＥ１００に送信するデータを記憶している場合、ｅＮＢ２００−１からＵＥ１００に未送信のデータを受信する処理を省略することができる。従って、ハンドオーバ手続中に行われる処理を簡略化することができる。
【０１４２】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４３】
例えば、上述した第１から第３実施形態では、ｅＮＢ２００−１がソースセルであるセル２５０−１を管理し、ｅＮＢ２００−２がターゲットセルであるセル２５０−１を管理していたが、これに限られない。ｅＮＢ２００−１がセル２５０−１及びセル２５０−２を管理していてもよい。すなわち、同一のｅＮＢ２００が管理する複数のセル２５０が協調してＵＥ１００と通信を行う場合に、ＵＥ１００は、同一のｅＮＢ２００が管理するセルからセルへハンドオーバを実行してもよい。
【０１４４】
また、上述した実施形態において、セル２５０−１及びセル２５０−２だけでなく、別のセルもＣｏＭＰを実行してもよい。
【０１４５】
また、上述した実施形態において、ｅＮＢ２００−２は、ハンドオーバ要求否定応答とともに、タイミング情報及び電力情報を送信していたが、これに限られない。ｅＮＢ２００−２は、タイミング情報を送信しなくてもよいし、電力情報を送信しなくてもよい。
【０１４６】
また、上述した第１実施形態の変更例において、ｅＮＢ２００−２は、コンテンションフリーアクセス用の信号系列を示す情報ではなく、コンテンションベースのランダムアクセスプリアンブル信号を送信させるための情報を送信してもよい。
【０１４７】
また、上述した実施形態では、ｅＮＢ２００−２は、ランダムアクセスプリアンブル信号の情報として、接続完了通知をセル２５０−２に送信するための無線リソースを示す無線リソース割り当てを送信していたがこれに限られない。例えば、ｅＮＢ２００−２は、ランダムアクセスプリアンブル信号の送信を省略するための要求又は指示をセル２５０−１を経由して、ＵＥ１００に通知してもよい。
【０１４８】
また、上述した第１実施形態の変更例では、ＵＥ１００は、ステップＳ２０１において記憶したタイミングアドバンスＴＡＡ１と最新のタイミングアドバンスＴＡＡ２とに基づいて、ランダムアクセスプリアンブル信号の送信を省略するか否かを判定していたが、これに限られない。例えば、ステップＳ２１０において、ＵＥ１００は、セル２５０−１への送信タイミングを調整するためのタイミングアドバンスＴＡＡとセル２５０−２への送信タイミングを調整するためのタイミングアドバンスＴＡＢ”とに基づいて、ランダムアクセスプリアンブル信号の送信を省略するか否かを判定してもよい。
【０１４９】
具体的には、ＵＥ１００は、上りリンク及び下りリンクにおけるＣｏＭＰによって、セル２５０−１からだけでなくセル２５０−２からも下りリンクの信号を受信していると仮定して、説明を進める。
【０１５０】
上述の変更例におけるステップＳ２０１において、ＵＥ１００は、セル２５０−１からの下りリンクの信号の受信時間及びセル２５０−２からの下りリンクの信号の受信時間に関する時間情報を、測定結果とともに、ｅＮＢ２００−１に送信する。
【０１５１】
ステップＳ２０３において、ｅＮＢ２００−１は、ＵＥ１００からの時間情報を、ハンドオーバ要求とともに、ｅＮＢ２００−２に送信する。
【０１５２】
ステップＳ２０５において、ｅＮＢ２００−１は、タイミング情報として、セル２５０−２への送信タイミングを調整するためのタイミングアドバンスＴＡＢ”を、ハンドオーバ要求肯定応答とともに、ｅＮＢ２００−１に送信する。
【０１５３】
ここで、ｅＮＢ２００−２は、ＣｏＭＰによって、ＵＥ１００からの上りリンクの信号を受信するため、ＵＥ１００からの上りリンクの信号を受信時間と、ステップＳ２０３において受信した時間情報とに基づいて、タイミングアドバンスＴＡＢ”を算出する。
【０１５４】
ステップ２０６において、ｅＮＢ２００−１は、受信したタイミング情報を、ＲＲＣ接続再設定情報とともにＵＥ１００に送信する。
【０１５５】
ステップＳ２１０において、ＵＥ１００は、通知されたタイミングアドバンスＴＡＢ”と、ＲＲＣ接続再設定情報を受信した時のタイミングアドバンスＴＡＡ（すなわち、ハンドオーバ前のセル２５０−１への送信タイミングを調整するための現在のタイミングアドバンスＴＡＡ）と、の差分が閾値以下であるか否かを判定する（ステップＳ２５１参照）。なお、ＵＥ１００は、上述の変更例で示したように、最新のタイミングアドバンスＴＡＡ２を有している場合、最新のタイミングアドバンスＴＡＡ２を用いて比較してもよい。
【０１５６】
ＵＥ１００は、当該差分が閾値以下である場合、ステップＳ２５２の処理を行い、当該差分ΔＴＡが閾値よりも大きい場合、ステップＳ２５３の処理を行う。
【０１５７】
なお、ここでの閾値は、ｅＮＢ２００−１とｅＮＢ２００−２とがＵＥ１００からの同一の上りリンクの信号の受信タイミングのずれを許容可能な範囲の値である。
【０１５８】
ステップＳ２５２において、ＵＥ１００は、ランダムアクセスプリアンブル信号は送信しない、すなわち、ＵＥ１００は、ランダムアクセスプリアンブル信号の送信を省略すると決定し、図９のステップＳ２１１の処理を行う。なお、ステップＳ２１２において、ＵＥ１００は、ステップＳ１１１におけるタイミングアドバンスＴＡＢ（又はＴＡＢ’）の算出の代わりに、タイミングアドバンスＴＡＢ”に基づいて、セル２５０−２への送信タイミングを調整する。一方、ステップＳ２５３において、ＵＥ１００は、上述の通常のハンドオーバ手続と同様に、ランダムアクセスプリアンブル信号をセル２５０−２に送信する。
【０１５９】
上述の通り、ｅＮＢ２００−２は、タイミング情報として、セル２５０−２への送信タイミングを調整するためのタイミングアドバンスＴＡＢ”を送信してもよい。また、ＵＥ１００（制御部）は、ＲＲＣ接続再設定情報を受信した時のタイミングアドバンスＴＡＡとセル２５０−２から通知されたタイミングアドバンスＴＡＢ”との差分が閾値以下である場合、ランダムアクセスプリアンブル信号の送信を省略してもよい。これにより、タイミングアドバンスの差分が小さい場合には、上りリンクの信号を送信するタイミングのずれが小さいため、ＵＥ１００は、ランダムアクセスプリアンブル信号の送信を省略することができる。また、ＵＥ１００は、上りリンクの信号を送信するタイミングのずれが大きいと判断した場合に、ランダムアクセスプリアンブル信号を送信することができる。
【０１６０】
また、上述した実施形態では、本発明をＬＴＥシステムに適用する一例を説明したが、ＬＴＥシステムに限定されるものではなく、ＬＴＥシステム以外のシステムに本発明を適用してもよい。
【符号の説明】
【０１６１】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ（無線基地局）、  ２０１…アンテナ、  ２１０…無線送受信機、  ２２０…ネットワークインターフェイス、  ２３０…メモリ、  ２４０，２４０’…プロセッサ、  ２５０−１，２５０−２…セル、  ３００…ＭＭＥ／Ｓ−ＧＷ、  ４００…ＯＡＭ
【図１】
2017143565.tif 000003
【図２】
2017143565.tif 000004
【図３】
2017143565.tif 000005
【図４】
2017143565.tif 000006
【図５】
2017143565.tif 000007
【図６】
2017143565.tif 000008
【図７】
2017143565.tif 000009
【図８】
2017143565.tif 000010
【図９】
2017143565.tif 000011
【図１０】
2017143565.tif 000012
【図１１】
2017143565.tif 000013
【図１２】
2017143565.tif 000014
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
移動通信システムであって、
第１の基地局が、第２の基地局が管理するセルへのハンドオーバの決定に応じて、ユーザ端末のハンドオーバ要求を前記第２の基地局へ送信し、
前記第２の基地局が、前記ハンドオーバ要求を受け入れることに応じて、前記ユーザ端末にランダムアクセスプリアンブル信号の送信を省略させるための情報を、前記第１の基地局を介して前記ユーザ端末に通知し、
前記情報は、前記ユーザ端末が前記セルとの接続が完了したことを示す通知を前記第２の基地局へ送信するために用いられる無線リソースの情報を示す、移動通信システム。
【請求項２】
前記第２の基地局は、前記無線リソースの情報と共にタイミング情報を前記ユーザ端末に通知し、
前記タイミング情報は、前記通知の送信タイミングを調整するための情報を示す請求項１に記載の移動通信システム。
【請求項３】
セルを管理する基地局であって、
制御部を備え、
前記制御部は、
前記セルへのユーザ端末のハンドオーバ要求を他の基地局から受信し、
前記ハンドオーバ要求を受け入れることに応じて、前記ユーザ端末にランダムアクセスプリアンブル信号の送信を省略させるための情報を、前記他の基地局を介して前記ユーザ端末に通知する、よう構成され、
前記情報は、前記ユーザ端末が前記セルとの接続が完了したことを示す通知を前記基地局へ送信するために用いられる無線リソースの情報を示す基地局。
【請求項４】
セルを管理する基地局を制御するためのプロセッサであって、
前記セルへのユーザ端末のハンドオーバ要求を他の基地局から受信する処理と、
前記ハンドオーバ要求を受け入れることに応じて、前記ユーザ端末にランダムアクセスプリアンブル信号の送信を省略させるための情報を、前記他の基地局を介して前記ユーザ端末に通知する処理と、を実行し、
前記情報は、前記ユーザ端末が前記セルとの接続が完了したことを示す通知を前記基地局へ送信するために用いられる無線リソースの情報を示すプロセッサ。
【請求項５】
ユーザ端末であって、
制御部を備え、
前記制御部は、
第１の基地局が管理する第１のセルから第２の基地局が管理する第２のセルへハンドオーバを行う場合に、前記ユーザ端末にランダムアクセスプリアンブル信号の送信を省略させるための情報を、前記第１の基地局を介して前記第２の基地局から受信し、
前記第２のセルとの接続を実行し、
前記第２のセルとの接続が完了したことを示す通知を前記第２の基地局へ送信する、よう構成され、
前記情報は、前記ユーザ端末が前記通知を前記第２の基地局へ送信するために用いられる無線リソースの情報を示し、
前記制御部は、前記無線リソースの情報を用いて前記通知を前記第２の基地局へ送信するよう構成されるユーザ端末。
【請求項６】
ユーザ端末を制御するためのプロセッサであって、
第１の基地局が管理する第１のセルから第２の基地局が管理する第２のセルへハンドオーバを行う場合に、前記ユーザ端末にランダムアクセスプリアンブル信号の送信を省略させるための情報を、前記第１の基地局を介して前記第２の基地局から受信する処理と、
前記第２のセルとの接続を実行する処理と、
前記第２のセルとの接続が完了したことを示す通知を前記第２の基地局へ送信する処理と、を実行し、
前記情報は、前記通知を前記第２の基地局へ送信するために用いられる無線リソースの情報を示し、
前記送信する処理において、前記無線リソースの情報を用いて前記通知を前記第２の基地局へ送信するよう構成されるユーザ端末。
【手続補正３】
【補正対象書類名】明細書
【補正対象項目名】０００８
【補正方法】変更
【補正の内容】
【０００８】
本実施形態に係る移動通信システムでは、第１の基地局が、第２の基地局が管理するセルへのハンドオーバの決定に応じて、ユーザ端末のハンドオーバ要求を前記第２の基地局へ送信し、前記第２の基地局が、前記ハンドオーバ要求を受け入れることに応じて、前記ユーザ端末にランダムアクセスプリアンブル信号の送信を省略させるための情報を、前記第１の基地局を介して前記ユーザ端末に通知し、前記情報は、前記ユーザ端末が前記セルとの接続が完了したことを示す通知を前記第２の基地局へ送信するために用いられる無線リソースの情報を示す。